(57)【要約】【課題】電子透かし技術を使用して画像に埋め込んだ電子バリューを使用して決済を行い、電子バリューの有効活用を図る。【解決手段】携帯電話は、決済時には保持している電子透かし画像を選択してＰＯＳ端末に無線送信する。ＰＯＳ端末は、受信した電子透かし画像から電子商品券情報を抽出し、この電子商品券情報の利用可能額を使用して購入商品の決済を行う。そして、利用可能額が購入商品の合計金額よりも大きいときには利用可能額を減額する。また、利用可能額≦合計金額であれば、電子商品券の利用可能額を使用済み情報に変更する。【選択図】      図８
2005141314.tif 000002
【特許請求の範囲】
【請求項１】
電子バリューを保持した携帯情報端末と、この携帯情報端末の電子バリューを使用する決済装置と、この決済装置の決済結果を管理するサーバとからなり、
前記サーバは、電子透かし画像作成機能を使用して画像に電子バリューを埋め込み、電子透かし画像を生成する画像生成手段と、この画像生成手段が生成した電子透かし画像を前記携帯情報端末に送信する送信手段とを設け、
前記決済装置は、受信手段と、この受信手段が前記携帯情報端末から受信した電子透かし画像から、電子バリュー抽出機能を使用して電子バリューを抽出する抽出手段と、この抽出した電子バリューを使用して決済する決済手段と、この決済後に電子バリューの内容を更新する更新手段とを設け、
前記携帯情報端末は、受信手段と、前記サーバから電子透かし画像をこの受信手段が受信するとメモリに保存する保存手段と、前記メモリに保存した電子透かし画像を決済のために前記決済装置に送信する送信手段とを設けたことを特徴とする電子バリューを用いた決済システム。
【請求項２】
決済装置は、さらに、電子バリューによる決済結果をサーバに送信する送信手段を設けたことを特徴とする請求項１記載の電子バリューを用いた決済システム。
【請求項３】
決済装置は、さらに、電子バリューによる決済結果を携帯情報端末に送信する送信手段を設け、前記携帯情報端末は、決済結果により電子透かし画像の送信を禁止する禁止手段を設けたことを特徴とする請求項１記載の電子バリューを用いた決済システム。
【請求項４】
携帯情報端末は、さらに、撮像装置と、この撮像装置が撮像した画像をサーバに送信する画像送信手段とを設け、
前記サーバの画像生成手段は、前記携帯情報端末から受信した画像に電子バリューを埋め込み、電子透かし画像を生成することを特徴とする請求項１記載の電子バリューを用いた決済システム。
【請求項５】
サーバは、さらに、複数の画像を保存した画像メモリと、携帯情報端末に画像選択させるために前記画像メモリの画像を送信する画像送信手段とを設け、画像生成手段は、前記携帯情報端末が選択した画像に電子バリューを埋め込んで電子透かし画像を生成し、
前記携帯情報端末は、さらに、前記サーバから受信手段が受信した画像から１つを選択する選択手段と、この選択手段が選択した画像を前記サーバに通知する通知手段とを設けたことを特徴とする請求項１記載の電子バリューを用いた決済システム。
【請求項６】
電子バリューを保持した携帯情報端末と、この携帯情報端末の電子バリューを使用して決済を行う決済装置と、この決済装置の決済情報を管理するサーバとからなり、
前記サーバは、電子バリューを暗号化する暗号化手段と、電子透かし画像作成機能を使用して画像に暗号化した電子バリューを埋め込み、電子透かし画像を生成する画像生成手段と、この画像生成手段が生成した電子透かし画像を前記携帯情報端末に送信する送信手段とを設け、
前記決済装置は、受信手段と、この受信手段が前記携帯情報端末から受信した電子透かし画像から、電子バリュー抽出機能を使用して暗号化した電子バリューを抽出する抽出手段と、この抽出した電子バリューを復号化する復号化手段と、この復号化した電子バリューを使用して決済する決済手段と、この決済後に電子バリューの内容を更新する更新手段とを設け、
前記携帯情報端末は、受信手段と、前記サーバから電子透かし画像をこの受信手段が受信するとメモリに保存する保存手段と、前記メモリに保存した電子透かし画像を決済のために前記決済装置に送信する送信手段とを設けたことを特徴とする電子バリューを用いた決済システム。
【請求項７】
電子バリューを保持した携帯情報端末と、この携帯情報端末の電子バリューを使用する決済装置と、この決済装置の決済結果を管理するサーバとからなり、
前記サーバは、電子透かし画像作成機能を使用して画像に電子バリューを埋め込み、第１の電子透かし画像を生成する第１の画像生成手段と、電子透かし画像作成機能を使用して前記決済装置から受信した画像に同じく前記決済装置から受信した更新後の電子バリューを埋め込み、第２の電子透かし画像を生成する第２の画像生成手段と、前記各画像生成手段が生成した電子透かし画像を前記携帯情報端末に送信する送信手段とを設け、
前記決済装置は、受信手段と、この受信手段が前記携帯情報端末から受信した第１の電子透かし画像から、電子バリュー抽出機能を使用して電子バリューを抽出する抽出手段と、この抽出した電子バリューを使用して決済する決済手段と、この決済後に電子バリューの内容を更新する更新手段と、電子バリューの抽出後の画像及び更新された電子バリューを前記サーバに送信する送信手段とを設け、
前記携帯情報端末は、受信手段と、この受信手段が前記サーバから第１の電子透かし画像を受信するとメモリに保存する第１の保存手段と、前記メモリに保存した第１の電子透かし画像を決済のために前記決済装置に送信する送信手段と、前記受信手段が前記サーバから第２の電子透かし画像を受信すると前記メモリに上書き保存する第２の保存手段とを設けたことを特徴とする電子バリューを用いた決済システム。
【請求項８】
電子バリューを保持した携帯情報端末と、この携帯情報端末の電子バリューを使用する決済装置と、この決済装置の決済結果を管理するサーバとからなり、
前記サーバは、電子透かし画像作成機能を使用して画像に電子バリューを埋め込み、第１の電子透かし画像を生成する第１の画像生成手段と、この画像生成手段が生成した電子透かし画像を前記携帯情報端末に送信する送信手段とを設け、
前記決済装置は、受信手段と、この受信手段が前記携帯情報端末から受信した電子透かし画像から、電子バリュー抽出機能を使用して電子バリューを抽出する抽出手段と、この抽出した電子バリューを使用して決済する決済手段と、この決済後に電子バリューの内容を更新する更新手段と、電子透かし画像作成機能を使用して電子バリューの抽出後の画像に前記更新手段により更新された電子バリューを埋め込み、第２の電子透かし画像を生成する第２の画像生成手段と、この画像生成手段が生成した第２の電子透かし画像を前記携帯情報端末に送信する送信手段とを設け、
前記携帯情報端末は、受信手段と、前記サーバから第１の電子透かし画像をこの受信手段が受信するとメモリに保存する第１の保存手段と、前記メモリに保存した電子透かし画像を決済のために前記決済装置に送信する送信手段と、前記決済装置から第２の電子透かし画像を受信すると前記メモリに上書き保存する第２の保存手段とを設けたことを特徴とする電子バリューを用いた決済システム。
【請求項９】
電子バリューを保持した携帯情報端末と、この携帯情報端末の電子バリューを使用する決済装置と、この決済装置の決済結果を管理するサーバとからなり、
前記サーバは、電子透かし画像作成機能を使用して画像に電子バリューを埋め込み、第１の電子透かし画像を生成する第１の画像生成手段と、この画像生成手段が生成した電子透かし画像を前記携帯情報端末に送信する送信手段とを設け、
前記決済装置は、、受信手段と、この受信手段が前記携帯情報端末から受信した電子透かし画像から、電子バリュー抽出機能を使用して電子バリューを抽出する抽出手段と、この抽出した電子バリューを使用して決済する決済手段と、この決済後に電子バリューの内容を更新する更新手段と、更新された電子バリューを前記携帯情報端末に送信する送信手段とを設け、
前記携帯情報端末は、受信手段と、前記サーバから第１の電子透かし画像をこの受信手段が受信するとメモリに保存する第１の保存手段と、前記メモリに保存した電子透かし画像を決済のために前記決済装置に送信する送信手段と、電子透かし画像作成機能を使用して画像に前記決済装置から受信した更新後の電子バリューを埋め込み、第２の電子透かし画像を生成する第２の画像生成手段と、この画像生成手段が生成した第２の電子透かし画像を前記メモリに上書き保存する第２の保存手段とを設けたことを特徴とする電子バリューを用いた決済システム。
【請求項１０】
携帯情報端末は、さらに、電子透かし抽出機能を使用して電子透かし画像から電子バリューを抽出する抽出手段と、この抽出した電子バリューを表示させる表示手段とを設けたことを特徴とする請求項１、６、７又は８記載の電子バリューを用いた決済システム。
【請求項１１】
携帯情報端末が保持する電子バリューを使用する決済装置であって、
電子透かし画像作成機能を使用して画像に埋め込まれた電子バリューを保持する前記携帯情報端末から、電子バリューを埋め込まれた電子透かし画像を受信する受信手段と、この受信手段が受信した電子透かし画像から、電子バリュー抽出機能を使用して電子バリューを抽出する抽出手段と、この抽出した電子バリューを使用して決済する決済手段と、この決済後に電子バリューの内容を更新する更新手段とを設けたことを特徴とする決済装置。
【請求項１２】
携帯情報端末が保持する電子バリューを使用する決済装置であって、
電子透かし画像作成機能を使用して画像に埋め込まれた電子バリューを保持する前記携帯情報端末から、電子バリューを埋め込まれた電子透かし画像を受信する受信手段と、この受信手段が受信した電子透かし画像から、電子バリュー抽出機能を使用して電子バリューを抽出する抽出手段と、この抽出した電子バリューを使用して決済する決済手段と、この決済後に電子バリューの内容を更新する更新手段と、電子バリューの抽出後の画像及び更新された電子バリューをサーバに送信する送信手段とを設けたことを特徴とする決済装置。
【請求項１３】
携帯情報端末が保持する電子バリューを使用する決済装置であって、
電子透かし画像作成機能を使用して画像に埋め込まれた電子バリューを保持する前記携帯情報端末から、電子バリューを埋め込まれた電子透かし画像を受信する受信手段と、この受信手段が受信した第１の電子透かし画像から、電子バリュー抽出機能を使用して電子バリューを抽出する抽出手段と、この抽出した電子バリューを使用して決済する決済手段と、この決済後に電子バリューの内容を更新する更新手段と、電子透かし画像作成機能を使用して電子バリューの抽出後の画像に前記更新手段により更新された電子バリューを埋め込み、第２の電子透かし画像を生成する画像生成手段と、この画像生成手段が生成した第２の電子透かし画像を前記携帯情報端末に送信する送信手段とを設けことを特徴とする決済装置。
【請求項１４】
携帯情報端末が保持する電子バリューを使用する決済装置であって、
電子透かし画像作成機能を使用して画像に埋め込まれた電子バリューを保持する前記携帯情報端末から、電子バリューを埋め込まれた電子透かし画像を受信する受信手段と、この受信手段が受信した電子透かし画像から、電子バリュー抽出機能を使用して電子バリューを抽出する抽出手段と、この抽出した電子バリューを使用して決済する決済手段と、この決済後に電子バリューの内容を更新する更新手段と、更新された電子バリューを前記携帯情報端末に送信する送信手段とを設けたことを特徴とする決済装置。
【請求項１５】
携帯情報端末が保持する電子バリューを使用する決済装置の決済結果を管理するサーバであって、
電子透かし画像作成機能を使用して画像に電子バリューを埋め込み、第１の電子透かし画像を生成する第１の画像生成手段と、電子透かし画像作成機能を使用して前記決済装置から受信した画像に同じく前記決済装置から受信した更新後の電子バリューを埋め込み、第２の電子透かし画像を生成する第２の画像生成手段と、前記各画像生成手段が生成した電子透かし画像を前記携帯情報端末に送信する送信手段とを設けたことを特徴とするサーバ。
【請求項１６】
電子バリューの決済を管理するサーバから送信された電子バリューを保持し、決済のためにその電子バリューを決済装置に送信する携帯情報端末であって、
前記サーバから、電子透かし画像作成機能を使用して電子バリューが埋め込まれた第１の電子透かし画像を受信する第１の受信手段と、この第１の受信手段が受信した第１の電子透かし画像をメモリに保存する第１の保存手段と、前記メモリに保存した電子透かし画像を決済のために前記決済装置に送信する送信手段と、前記決済装置から更新後の電子バリューを受信する第２の受信手段と、電子透かし画像作成機能を使用して画像に受信した更新後の電子バリューを埋め込み、第２の電子透かし画像を生成する第２の画像生成手段と、この画像生成手段が生成した第２の電子透かし画像を前記メモリに上書き保存する第２の保存手段とを設けたことを特徴とする携帯情報端末。
【発明の詳細な説明】
【技術分野】
【０００１】
本発明は、電子商品券や電子チケット等の電子バリューを用いて決済を行う決済システム及びこのシステムに使用する決済装置、サーバ並びに携帯情報端末に関する。
【背景技術】
【０００２】
従来、例えば、電子透かし技術によりチケット番号等の情報を画像等に埋め込み、かかる画像をチケット番号等のチケット情報とともに携帯端末に送信することで、チケット情報の不正な複製をより確実に防止できるようにしたチケット取扱いシステムがある。このシステムでは、チケット情報に含まれた画像を読取り、この画像にチケット番号等が埋め込まれているかどうかによってチケット情報の正真性を検証している（例えば、特許文献１参照）。
【特許文献１】特開２００１−２５６５１３公報
【発明の開示】
【発明が解決しようとする課題】
【０００３】
このような従来の、チケット番号等の電子バリューを画像等に埋め込み、この画像を含む電子バリューを取り扱うシステムでは、画像に埋め込んだ電子バリューを使用して決済することはできず、電子バリューを有効に活用する点で不十分であった。
【０００４】
本発明は、電子透かし技術を使用して電子バリューを画像に埋め込み、この埋め込んだ電子バリューを使用して決済ができ、これにより、電子バリューを有効に活用できる電子バリューを用いた決済システムを提供する。
【課題を解決するための手段】
【０００５】
本発明は、電子商品券や電子チケット等の電子バリューを保持した携帯情報端末と、この携帯情報端末の電子バリューを使用する決済装置と、この決済装置の決済結果を管理するサーバとからなり、サーバは、電子透かし画像作成機能を使用して画像に電子バリューを埋め込み、電子透かし画像を生成する画像生成手段と、この画像生成手段が生成した電子透かし画像を携帯情報端末に送信する送信手段とを設け、決済装置は、受信手段と、この受信手段が携帯情報端末から受信した電子透かし画像から、電子バリュー抽出機能を使用して電子バリューを抽出する抽出手段と、この抽出した電子バリューを使用して販売精算や入場許可などの決済を行う決済手段と、この決済後に電子バリューの内容を更新する更新手段とを設け、携帯情報端末は、受信手段と、サーバから電子透かし画像をこの受信手段が受信するとメモリに保存する保存手段と、メモリに保存した電子透かし画像を決済のために決済装置に送信する送信手段とを設けたことにある。
【発明の効果】
【０００６】
本発明によれば、電子透かし技術を使用して電子バリューを画像に埋め込み、この埋め込んだ電子バリューを使用して決済ができ、これにより、電子バリューを有効に活用できる。
【発明を実施するための最良の形態】
【０００７】
以下、本発明の実施の形態を、図面を参照して説明する。  
（第１の実施の形態）
図１はシステム全体の構成を示す図で、１はサーバ、２は決済装置としてのＰＯＳ端末、３は電子商品券や電子チケット等の電子バリューを保持した携帯情報端末としての携帯電話である。なお、ＰＤＡ等であっても良い。前記サーバ１とＰＯＳ端末２とは例えばＷＡＮ４を経由して互いに通信できるようになっている。なお、ＷＡＮの代りにインターネットやＬＡＮ等を使用してもよい。
【０００８】
前記携帯電話３は、サーバ１と無線中継局（図示せず）及びインターネット５を経由して互いに通信できるようになっている。なお、前記携帯電話３は、ＰＯＳ端末２と、例えばＩｒＤＡやBluetoothなどの無線通信方式で通信するようになっている。
【０００９】
前記携帯電話３は、図２に示すように、前記インターネット５への接続を制御するネットワーク接続部３１、ＣＰＵ、ＲＯＭ、ＲＡＭ等からなり各種アプリケーションの実行を行うアプリケーション実行部３２、書き換え可能なメモリからなる記憶部３３、操作部に設けたキーボードからのキー入力処理を行うキー入力部３４、画像やテキストなどの情報を表示する液晶表示器からなる表示部３５、ＩｒＤＡやBluetoothなどの無線通信方式で前記ＰＯＳ端末２と無線通信制御を行う無線通信部３６、ＣＣＤカメラなどの撮像装置（以下、カメラと称する。）からなる画像撮影部３７を備え、それぞれバスラインによって電気的に接続されている。
【００１０】
前記アプリケーション実行部３２には、通常の電話機能を実行するプログラムの他、特に、電子透かし画像から電子バリューを抽出する電子透かし抽出機能を実行するプログラム３２１及び価値情報が使用済みの状態か否かを検証する価値情報検証機能を実行するプログラム３２２が設けられている。
【００１１】
前記サーバ１は、図３に示すように、前記ＷＡＮ４、インターネット５への接続を制御するネットワーク接続部１１、ＣＰＵ、ＲＯＭ、ＲＡＭ等からなり各種アプリケーションの実行を行うアプリケーション実行部１２、書き換え可能なメモリからなる記憶部１３、キーボードからのキー入力処理を行うキー入力部１４、データベース６と接続し、このデータベース６とデータの書き込みや読み出しを行うデータベース接続部１５を備え、それぞれバスラインによって電気的に接続されている。
【００１２】
前記アプリケーション実行部１２には、特に、画像に電子バリューを埋め込み電子透かし画像を作成する電子透かし作成機能を実行するプログラム１２１、前記記憶部１３に保持されている画像を前記携帯電話３に提示する画像提示機能を実行するプログラム１２２、電子バリューを作成し発行する電子バリュー発行機能を実行するプログラム１２３、前記携帯電話３に対して電子バリューの発行時に決済処理を行う決済機能を実行するプログラム１２４、発行した電子バリューを、前記データベース６を使用して管理する電子バリュー管理機能を実行するプログラム１２５が設けられている。
【００１３】
前記電子バリュー発行機能プログラム１２３によって発行される電子バリューのデータ構成例を示すと、図４に示すように、電子バリューを識別するためのＩＤ（識別子）、価値情報、価値情報を秘密鍵で暗号化した電子署名によって構成されている。価値情報は、例えば電子バリューを電子商品券とした場合には利用可能額であり、また、電子バリューを電子チケットとした場合には会場、座席番号、日時等の情報である。また、価値情報には利用済みを示す状態があり、例えば、０などで表わすことができる。
【００１４】
前記決済機能プログラム１２４が行う決済処理としては、例えば、クレジット決済として携帯電話３から送られてくるクレジット番号をカード会社に送信するなどの処理がある。前記電子バリュー管理機能プログラム１２５が行う管理としては、例えば、電子透かしに利用した画像や電子バリューの価値情報を登録すること、利用された電子バリューの状態やどの店でどのような商品の購入に使われたかなどの情報を追加、変更することである。
【００１５】
図５は前記電子バリュー管理機能プログラム１２５が前記データベース６を使用して管理している電子バリューの管理状態を示し、ＩＤ、画像名、価値情報、現在の状況、利用店舗などの情報と実際の画像データを管理するようになっている。また、携帯電話３からの電子バリューの購入時に購入者の属性情報を入力させることでその属性情報も電子バリューに関連付けして管理してもよい。
【００１６】
前記ＰＯＳ端末２は、図６に示すように、前記ＷＡＮ４への接続を制御するネットワーク接続部２１、ＣＰＵ、ＲＯＭ、ＲＡＭ等からなり各種アプリケーションの実行を行うアプリケーション実行部２２、書き換え可能なメモリからなる記憶部２３、キーボードからのキー入力処理を行うキー入力部２４、画像やテキストなどの情報を表示する表示部２５、前記携帯電話３とＩｒＤＡやBluetoothなどの無線通信方式で無線通信制御を行う無線通信部２６、バーコードリーダ７が読取ったバーコードデータを入力処理するバーコード入力部２７を備え、それぞれバスラインによって電気的に接続されている。
【００１７】
前記アプリケーション実行部２２には、特に、電子透かし画像から電子バリューの抽出を行う電子透かし抽出機能を実行するプログラム２２１、電子バリューの価値情報を更新する電子バリュー更新機能を実行するプログラム２２２、電子透かしから抽出した電子バリューの電子署名を秘密鍵で復号化して価値情報と比較し価値情報の改ざんの有無を調べる電子バリュー検証機能を実行するプログラム２２３、精算機能を実行するプログラム２２４が設けられている。
【００１８】
前記電子バリュー更新機能プログラム２２２が行う価値情報の更新とは、例えば、電子商品券の場合は利用可能額の減額であり、電子チケットの場合は使用済み情報の付加等行うことである。そして変更した価格情報に対して新たに電子署名を作成する。前記精算機能プログラム２２４は、バーコード入力部２７から得た入力情報を基にストアコントローラなどの店舗内の上位機器（図示せず）から購入商品の価格情報を得て合計金額を算出し、前記表示部２５に表示させる処理を行う。そして、前記電子透かし抽出機能プログラム２２１によって抽出された電子バリューの価値情報が示す利用可能額を使用して合計金額に対する精算を行う。
【００１９】
次に、電子バリューを電子商品券とした場合において、携帯電話３がサーバ１から電子バリュー、すなわち、電子商品券を購入するときの携帯電話３とサーバ１のやり取りを図７の流れ図に基づいて説明する。
【００２０】
先ず、携帯電話３は、表示部３５に図９の(a)に示す画面を表示した状態で、Ｓ１にて、サーバ１に対し電子バリューの「購入」を選択し要求する。この要求を受信すると、サーバ１は、Ｓ２にて、携帯電話３に対し購入可能な電子商品券（電子バリュー）のリストを送信する。携帯電話３は、リストを受信すると、表示部３５に図９の(b)に示す画面を表示する。そして、Ｓ３にて、電子商品券を選択する。例えば、２０００円の電子商品券を選択する。この選択を受けて、サーバ１は、Ｓ４にて、２０００円の電子商品券を発行する。
【００２１】
次に、サーバ１は、携帯電話３に対して販売する２０００円の電子商品券に対する支払い処理を行う。この支払い処理が、例えばクレジットによる支払いであれば、Ｓ５に示す支払い処理を行う。すなわち、サーバ１は、先ず、Ｓ５０１にて、携帯電話３に対してクレジット番号を要求する。この要求を受信すると、携帯電話３は、表示部３５に図９の(c)に示す画面を表示し、Ｓ５０２にて、キー入力部３４からクレジット番号を入力する。そして、Ｓ５０３にて、入力したクレジット番号をサーバ１へ送信する。
【００２２】
サーバ１は、携帯電話３からクレジット番号を受信すると、Ｓ５０４にて、受信したクレジット番号をクレジット会社に問い合わせて確認する。そして、クレジット番号が確認できれば、クレジット支払いによる２０００円の電子商品券の購入が完了したことになる。
【００２３】
こうして支払い処理が終了すると、サーバ１は、Ｓ６にて、携帯電話３に対し画像の要求を行う。この要求を受けて、携帯電話３は、表示部３５に図９の(d)に示す画面を表示し、Ｓ７にて、この画面を使用して画像の選択を行う。ここでは、サーバ１から提供された画像の中から選択する「サーバ」と、携帯電話３の画像撮影部３７のカメラを使用して取り込んだ画像の中から選択する「カメラ」を選択するようになっている。そして、画像の選択を終了すると、続いて、Ｓ８にて、選択した画像をサーバ１へ送信する。
【００２４】
サーバ１は、画像を受信すると、Ｓ９にて、この受信した画像に購入が完了した電子商品券情報を電子透かし技術により埋め込み、第１の電子透かし画像を作成する（画像生成手段）。なお、ここでの電子透かしは、例えば、各画素が８ｂｉｔのデータにより表わされている画像に対して、各画素の最下位ｂｉｔを埋め込む情報に利用するなどの方法により情報を画像に埋め込むことにより実現している。なお、その他の電子透かし技術を使用してもよい。  
続いて、サーバ１は、Ｓ１０にて、作成した第１の電子透かし画像の管理情報をデータベース６に登録する。そして、Ｓ１１にて、作成した第１の電子透かし画像を携帯電話３に送信する（送信手段）。
【００２５】
携帯電話３は、第１の電子透かし画像を受信すると、Ｓ１２にて、記憶部３３に保存し（保存手段）、続いて、Ｓ１３にて、この第１の電子透かし画像から電子商品券情報を抽出し、その中から２０００円という価値情報を取り出し、図９の(e)に示すように、電子透かし画像とともに表示部３５に表示する。  
こうして、電子商品券を購入するときの携帯電話３とサーバ１のやり取りを終了する。
【００２６】
次に、携帯電話３が電子商品券を使用してＰＯＳ端末２で決済するときの携帯電話３、ＰＯＳ端末２、サーバ１間のやり取りを図８の流れ図に基づいて説明する。  
先ず、携帯電話３は、表示部３５に図１０の(a)に示す画面を表示させた状態で、Ｓ２１にて、電子透かし画像の「利用」を選択する。これにより、Ｓ２２にて、記憶部３３に保存されている電子透かし画像のリストを読み出し、表示部３５に図１０の(b)に示すように表示させる。すなわち、電子透かし画像として３つ保存されていれば３つとも表示させる。なお、この場合に、電子商品券の価値情報を抽出して合わせて表示してもよい。
【００２７】
この状態で、Ｓ２３にて、利用する電子透かし画像を選択する。これにより、表示部３５の表示画面は図１０の(c)に示す画面に切替わる。そして、Ｓ２４にて、画像の確認を行う。すなわち、選択した画像でよければ、画面上の「送信」をチェックし、また、再度画像選択したいときには画面上の「もう一度」をチェックする。そして、決済のために、画面上の「送信」をチェックすると、Ｓ２５にて、選択した電子透かし画像を無線通信によってＰＯＳ端末２に送信する（送信手段）。
【００２８】
ＰＯＳ端末２は、携帯電話３から電子透かし画像を受信すると、Ｓ２６にて、この電子透かし画像から電子商品券情報を抽出する（抽出手段）。続いて、Ｓ２７にて、電子商品券情報に含まれている電子署名を使用して価値情報の検証を行う。そして、もし、不正が検出された場合には、携帯電話３に対して電子商品券の使用不可を通知する。この通知を受信すると、携帯電話３は、Ｓ２８にて、表示部３５に図１０の(d)に示すように電子商品券の利用不可を表示し、処理を終了する。
【００２９】
また、ＰＯＳ端末２は、Ｓ２７にて不正が検出されなれば、Ｓ２９にて、抽出した電子商品券情報を使用して精算処理を行う（決済手段）。すなわち、抽出した電子商品券情報の利用可能額が購入した商品の支払い合計金額よりも大きければ、利用可能額から合計金額を減算して新たな利用可能額を算出し、また、利用可能額が合計金額以下であれば合計金額から利用可能額を減算する。そして不足分を現金で支払うことになる。続いて、Ｓ３０にて、携帯電話３に対して精算の完了を通知する。携帯電話３は、この通知を受けると、Ｓ３１にて、使用した電子透かし画像を使用禁止、すなわち、送信禁止の状態にし、表示部３５に図１０の(e)に示す画面を表示する。そして、これ以降携帯電話３は後述する電子透かし画像の更新処理が可能になる。
【００３０】
ＰＯＳ端末２は、携帯電話３への精算完了の通知を行うと、Ｓ３２にて、使用した電子商品券の価値情報を更新する（更新手段）。すなわち、利用可能額が合計金額よりも大きいときには価値情報を新たな利用可能額に変更する。また、利用可能額が合計金額以下のときには価値情報を使用済み情報、例えば、「０」に変更する。続いて、Ｓ３３にて、更新した電子商品券情報と精算情報と店情報をサーバ１へ送信する。
【００３１】
サーバ１は、ＰＯＳ端末２からの情報を受け取ると、Ｓ３４にて、電子商品券情報のＩＤに対応する画像に、この商品券情報を埋め込み、第２の電子透かし画像を作成し、Ｓ３５にて、受信した精算情報から購入商品を、店情報から利用店舗を、電子商品券情報から現在の価値情報をそれぞれ取得して、データベース６内の電子バリューの管理情報を更新する。  
こうして、携帯電話３が電子商品券を使用してＰＯＳ端末２で決済したときの処理が終了する。
【００３２】
このように、電子商品券情報を電子透かし技術によって画像に埋め込むことで、利用者は電子商品券情報とともに画像の持つコンテンツとしての付加価値を得ることができ、しかも、画像に埋め込んだ電子商品券情報を使用してＰＯＳ端末２での支払いができる。これにより、電子商品券情報を有効に活用できる。また、電子商品券情報を画像に埋め込むことで、電子商品券情報の送受信を画像の送受信と同様に行える。従って、画像をメールで送るように電子商品券情報をメールで送ることができる。さらに、電子商品券情報を画像から抽出するのに、専用のアプリ等が必要になるので、電子商品券情報を十分なセキュリティを保ちつつ使用することができる。
【００３３】
次に、電子透かし画像の更新処理について述べる。  
すなわち、図１１に示すように、携帯電話３は、Ｓ４１にて、Ｓ３１の処理により使用禁止の状態になっている電子透かし画像の更新処理を選択する。すなわち、表示部３５に図１２の(a)に示す画面が表示されている状態で、「更新」を選択チェックする。続いて、携帯電話３は、Ｓ４２にて、更新が選択された電子透かし画像から電子商品券情報を抽出し、さらにＩＤを抽出する。そして、Ｓ４３にて、抽出したＩＤをサーバ１に送信する。
【００３４】
サーバ１は、携帯電話３からＩＤを受信すると、Ｓ４４にて、ＩＤに対応する第２の電子透かし画像をデータベース６から取得し、携帯電話３に送信する。携帯電話３は、第２の電子透かし画像を受信すると、Ｓ４５にて、この第２の電子透かし画像を記憶部３３の該当する電子透かし画像に上書きして保存する。そして、Ｓ４６にて、第２の電子透かし画像から電子商品券情報を抽出し、Ｓ４７にて、電子商品券情報の価値情報が使用済み情報か否かをチェックする。
【００３５】
価値情報が使用済み情報になっていなければ、携帯電話３は、Ｓ４８にて、電子透かし画像の使用禁止、すなわち、送信禁止を解除して利用可能状態にする。そして、Ｓ４９にて、図１２の(b)に示すように、電子透かし画像と価値情報を表示部３５に表示する。また、価値情報が使用済み情報になっていれば、Ｓ４９にて、図１２の(c)に示すように、電子透かし画像と使用済みのメッセージを表示部３５に表示する。
【００３６】
次に、前述した図７のＳ７における画像選択の一例について図１３の流れ図を使用して説明する。この例は携帯電話３のカメラが撮影した画像を利用する例である。  
すなわち、携帯電話３の表示部３５に図１４の(a)に示す表示が行われている状態で、Ｓ５１にて、「カメラ」をチェックし選択すると、表示部３５の画面が図１４の(b)に示す表示画面に切替わる。
【００３７】
この状態で以前に画像撮影部３７のカメラで撮影して記憶部３３に保存されている「保存画像」を利用するか、カメラで新規に撮影する「新規撮影」を利用するかを選択する。そして、Ｓ５２にて、「新規撮影」が選択されたことを判断すると、Ｓ５３にて、画像撮影部３７のカメラを使用して画像を撮影する。このとき表示部３５に図１４の(c)に示すように、新規画像Ｄと「送信」、「もう一度」のボタンが表示される。
【００３８】
続いて、Ｓ５４にて、表示画像の確認を行う。すなわち、撮影をやり直す場合は画面上の「もう一度」をチェックする。これにより、カメラによる新規画像Ｄの再度の取込みが可能になる。また、表示されている新規画像Ｄを採用するのであれば、画面上の「送信」をチェックする。そして、画面上の「送信」をチェックすると、Ｓ５５にて、撮影した新規画像を無線通信によってサーバ１に送信する。
【００３９】
また、Ｓ５２にて、「保存画像」が選択されたことを判断すると、Ｓ５６にて、表示部３５に図１４の(d)に示すように、保存画像のリストが表示される。この状態で、Ｓ５７にて、利用する画像を選択する。これにより、表示部３５の表示画面は図１４の(e)に示す画面に切替わる。そして、Ｓ５８にて、表示画像の確認を行う。すなわち、表示部３５には選択した画像と「送信」、「もう一度」のボタンが表示されるので、この画像でよければ、画面上の「送信」をチェックし、また、画像を選択し直したいときには画面上の「もう一度」をチェックする。そして、画面上の「送信」をチェックすると、Ｓ５５にて、選択した画像を無線通信によってサーバ１に送信する。
【００４０】
このように、電子商品券情報を埋め込む画像を、利用者が携帯電話３のカメラを使用して自ら撮影した画像を使用できることになる。これにより、利用者は自分固有のユニークな画像を電子透かし画像として利用できることになる。
【００４１】
次に、前述した図７のＳ７における画像選択の他の例について図１５の流れ図を使用して説明する。この例はサーバ１が保有している画像を利用する例である。  
すなわち、携帯電話３の表示部３５に図１６の(a)に示す表示が行われている状態で、Ｓ６１にて、「サーバ」をチェックし選択する。これにより、携帯電話３からサーバ１に画像のリスト要求が送信される。
【００４２】
サーバ１は、リスト要求を受信すると、Ｓ６２にて、データベース６に保存されている画像のリストを読み出して携帯電話３に送信する。携帯電話３は、画像のリストを受信すると、Ｓ６３にて、図１６の(b)に示すように表示部３５に表示する。そして、Ｓ６４にて、この表示画面を使用して利用する画像の選択を行う。画像の選択を行うと、表示部３５に表示下面は、図１６の(c)に示す画面に切替わる。すなわち、選択した画像と「ＯＫ」、「もう一度」のボタンが表示される。
【００４３】
続いて、Ｓ６５にて、表示画像の確認を行う。すなわち、選択をやり直す場合は画面上の「もう一度」をチェックする。これにより、表示部３５の表示画面が図１６の(b)の画面に戻り、再度の選択が可能になる。また、選択された画像を採用するのであれば、画面上の「ＯＫ」をチェックする。これにより、Ｓ６６にて、選択画像を無線通信によってサーバ１に通知する。
【００４４】
このように、電子商品券情報を埋め込む画像を、サーバ１に保存されているリストの中から利用者が携帯電話３を使用して選択できる。これにより、利用者は好みの画像を電子透かし画像として利用できることになる。  
なお、この実施の形態では、サーバ１における電子透かし画像の管理を、データベース６を使用して行ったがこれに限定するものではなく、記憶部１３を使用して管理を行っても良い。
【００４５】
（第２の実施の形態）
第１の実施の形態では、電子透かし画像の更新処理をサーバ１で行う場合について述べたが、この第２の実施の形態は、電子透かし画像の更新処理をＰＯＳ端末２で行う場合について述べる。
【００４６】
ＰＯＳ端末２のアプリケーション実行部２２には、図１７に示すように、電子透かし抽出機能を実行するプログラム２２１、電子バリュー更新機能を実行するプログラム２２２、電子バリュー検証機能を実行するプログラム２２３、精算機能を実行するプログラム２２４の他、画像に電子バリューを埋め込み電子透かし画像を作成する電子透かし作成機能を実行するプログラム２２５が設けられている。
【００４７】
携帯電話３が電子商品券を使用してＰＯＳ端末２で決済するときの携帯電話３、ＰＯＳ端末２及びサーバ１間のやり取りは、図１９に示す流れ図に基づいて行うが、Ｓ２１〜Ｓ２９までは図８と同一の処理を行う。そして、ＰＯＳ端末２は、Ｓ２９にて、電子商品券情報を使用して精算処理を行うと、続いて、Ｓ７１にて、使用した電子商品券の価値情報を使用済み情報或いは減額した価値情報に更新し、Ｓ７２にて、電子透かし作成機能プログラム２２５により電子商品券情報を抽出した画像に、価値情報を更新した電子商品券情報を電子透かし技術を使用して埋め込み第２の電子透かし画像を作成する。そして、Ｓ７３にて、この作成した第２の電子透かし画像を携帯電話３に送信する。
【００４８】
携帯電話３は、第２の電子透かし画像を受信すると、Ｓ７４にて、この第２の電子透かし画像を記憶部３３の該当する画像に上書きし保存する。そして、Ｓ７５にて、この第２の電子透かし画像から価値情報を抽出する。続いて、携帯電話３は、Ｓ７６にて、抽出した価値情報が使用済み情報か否かをチェックする。そして、価値情報が使用済み情報であれば、Ｓ７７にて、電子透かし画像の送信を禁止する。そして、Ｓ７８にて、表示部３５に、図１８の(a)に示すように、電子透かし画像と使用済みを表示する。また、価値情報が使用済み情報でない、すなわち、減額した新たな価値情報であれば、Ｓ７８にて、表示部３５に、図１８の(b)に示すように、電子透かし画像と新たな価値情報を表示する。
【００４９】
一方、ＰＯＳ端末２は、Ｓ７３にて携帯電話３に電子透かし画像を送信すると、Ｓ７９にて、電子商品券情報と精算情報と店情報をサーバ１に送信する。サーバ１は、ＰＯＳ端末２から情報を受信すると、Ｓ８０にて、受信した精算情報から購入商品を、店情報から利用店舗を、電子商品券情報から現在の価値情報をそれぞれ取得して、データベース６内の電子バリューの管理情報を更新する。
【００５０】
このように、電子透かし画像の更新処理をＰＯＳ端末２で行っても、電子商品券情報を電子透かし技術によって画像に埋め込み、この電子透かし画像を携帯電話３からＰＯＳ端末２に無線送信して支払いを行うことは同じであり、電子商品券情報を有効に活用できる。その他、前述した第１の実施の形態と同様の作用効果が得られるものである。
【００５１】
（第３の実施の形態）
第１の実施の形態では、電子透かし画像の更新処理をサーバ１で行う場合について述べたが、この第３の実施の形態は、電子透かし画像の更新処理を携帯電話３で行う場合について述べる。
【００５２】
携帯電話３のアプリケーション実行部３２には、図２０に示すように、通常の電話機能を実行するプログラム、電子透かし抽出機能を実行するプログラム３２１、価値情報検証機能を実行するプログラム３２２の他、画像に電子バリューを埋め込み電子透かし画像を作成する電子透かし作成機能を実行するプログラム３２３が設けられている。
【００５３】
携帯電話３、ＰＯＳ端末２及びサーバ１のやり取りは、図２１に示す流れ図に基づいて行うが、Ｓ２１〜Ｓ２９までは図８と同一の処理を行う。そして、ＰＯＳ端末２は、Ｓ２９にて、電子商品券情報を使用して精算処理を行うと、続いて、Ｓ８１にて、使用した電子商品券の価値情報を使用済み情報或いは減額した価値情報に更新し、Ｓ８２にて、更新した価値情報に基づく電子商品券情報を携帯電話３に送信する。
【００５４】
携帯電話３は、ＰＯＳ端末２から電子商品券情報を受信すると、Ｓ８３にて、電子透かし作成機能プログラム３２３により画像に電子商品券情報を電子透かし技術を使用して埋め込み第２の電子透かし画像を作成する。そして、Ｓ８４にて、この作成した第２の電子透かし画像を記憶部３３の該当する画像に上書きし保存する。そして、Ｓ８５にて、受信した電子商品券情報の価値情報が使用済み情報か否かをチェックする。そして、価値情報が使用済み情報であれば、Ｓ８６にて、電子透かし画像の送信を禁止する。そして、Ｓ８７にて、表示部３５に電子透かし画像と使用済みを表示する。また、価値情報が使用済み情報でない、すなわち、減額した新たな価値情報であれば、Ｓ８７にて、表示部３５に電子透かし画像と新たな価値情報を表示する。
【００５５】
一方、ＰＯＳ端末２は、Ｓ８２にて携帯電話３に電子商品券情報を送信すると、Ｓ８８にて、電子商品券情報と精算情報と店情報をサーバ１に送信する。サーバ１は、ＰＯＳ端末２から情報を受信すると、Ｓ８９にて、受信した精算情報から購入商品を、店情報から利用店舗を、電子商品券情報から現在の価値情報をそれぞれ取得して、データベース６内の電子バリューの管理情報を更新する。
【００５６】
このように、電子透かし画像の更新処理を携帯電話３で行っても、電子商品券情報を電子透かし技術によって画像に埋め込み、この電子透かし画像を携帯電話３からＰＯＳ端末２に無線送信して支払いを行うことは同じであり、電子商品券情報を有効に活用できる。その他、前述した第１の実施の形態と同様の作用効果が得られるものである。
【００５７】
（第４の実施の形態）
この実施の形態は、サーバ１が電子バリューを暗号化して画像に埋め込み、この電子バリューを携帯電話３が復号化して抽出する例について述べる。
【００５８】
前記サーバ１のアプリケーション実行部１２には、図２２に示すように、電子透かし作成機能を実行するプログラム１２１、画像提示機能を実行するプログラム１２２、電子バリュー発行機能を実行するプログラム１２３、決済機能を実行するプログラム１２４、電子バリュー管理機能を実行するプログラム１２５の他、さらに、電子バリューである電子商品券情報を秘密鍵で暗号化する暗号化機能を実行するプログラム１２６が設けられている。
【００５９】
また、前記携帯電話３のアプリケーション実行部３２には、図２３に示すように、通常の電話機能を実行するプログラム、電子透かし抽出機能を実行するプログラム３２１、価値情報検証機能を実行するプログラム３２２、電子透かし作成機能を実行するプログラム３２３の他、暗号化された電子商品券情報を秘密鍵で復号化する復号化機能を実行するプログラム３２４が設けられている。
【００６０】
携帯電話３とサーバ１のやり取りは、図２４に示す流れ図に基づいて行うが、Ｓ１〜Ｓ４とＳ５〜Ｓ１２は図７と同一の処理を行う。サーバ１は、Ｓ４にて、電子商品券を発行すると、Ｓ９１にて、この発行した電子商品券を、秘密鍵を使用して暗号化する。そして、Ｓ５によるクレジットによる支払処理へ移行する。
【００６１】
また、携帯電話３は、Ｓ１２にて、サーバ１から電子透かし画像を受信して記憶部３３に保存すると、続いて、Ｓ９２にて、受信した電子透かし画像から電子商品券情報を抽出し、秘密鍵を使用して復号化する。そして、Ｓ９３にて、復号化した電子商品券情報から価値情報を取り出し、電子透かし画像とともに表示部３５に表示する。
【００６２】
このように、電子商品券情報を暗号化した後画像に埋め込んでいるので、電子商品券情報のセキュリティをより一層高めることができる。なお、その他については前述した第１の実施の形態と同様の作用効果が得られるものである。
【００６３】
（第５の実施の形態）
この実施の形態は、携帯電話３から、電子商品券情報を暗号化して画像に埋め込んだ電子透かし画像をＰＯＳ端末２が受信したときのＰＯＳ端末の処理について述べる。
【００６４】
前記ＰＯＳ端末２のアプリケーション実行部２２には、図２５に示すように、電子透かし抽出機能を実行するプログラム２２１、電子バリュー更新機能を実行するプログラム２２２、電子バリュー検証機能を実行するプログラム２２３、精算機能を実行するプログラム２２４、電子透かし作成機能を実行するプログラム２２５の他、さらに、電子バリューである電子商品券情報を秘密鍵で復号化する復号化機能を実行するプログラム２２６が設けられている。
【００６５】
携帯電話３が電子商品券を使用してＰＯＳ端末２で決済するときの携帯電話３、ＰＯＳ端末２及びサーバ１間のやり取りは、図２６に示す流れ図に基づいて行うが、Ｓ２１〜Ｓ２５、Ｓ２７〜Ｓ３３、Ｓ３４、Ｓ３５は図８と同一の処理を行う。  
ＰＯＳ端末２は、携帯電話３から電子透かし画像を受信すると、Ｓ１０１にて、受信した電子透かし画像から暗号化された電子商品券情報を抽出し、続いて、Ｓ１０２にて、復号化機能プログラム２２６により、電子商品券情報を、秘密鍵を使用して復号化する。そして、その後に、Ｓ２７にて、電子商品券情報の検証を行う。  
このように、ＰＯＳ端末２で暗号化した電子商品券情報を抽出して復号化してから精算を行うものであっても前述した第１の実施の形態と同様の作用効果が得られるものである。
【００６６】
なお、前述した各実施の形態は、電子バリューとして電子商品券を使用し、この電子商品券を使用してＰＯＳ端末２で購入商品の精算、すなわち、決済を行うものについて述べたがこれに限定されるものではなく、電子バリューとしてチケット情報を扱うものにも適用できるものである。チケット情報の場合は、価値情報としては、チケット関連の日時、会場、座席等の情報が該当し、決済装置としては、例えば、ゲートを開閉するゲート装置が該当し、携帯電話からチケット情報が埋め込まれた電子透かし画像をゲート装置が受信し、この受信した電子透かし画像からチケット情報を抽出してその価値情報を検証し、正しければゲートを開けて通過させるなどのシステムが考えられる。
【図面の簡単な説明】
【００６７】
【図１】本発明の、第１の実施の形態に係るシステム全体の構成を示す図。
【図２】同実施の形態における携帯電話の構成を示すブロック図。
【図３】同実施の形態におけるサーバの構成を示すブロック図。
【図４】同実施の形態における電子バリューのデータ構成例を示す図。
【図５】同実施の形態のデータベースによる電子バリューの管理状態を示す図。
【図６】同実施の形態におけるＰＯＳ端末の構成を示すブロック図。
【図７】同実施の形態においてサーバから電子商品券を購入するときの携帯電話とサーバとのやり取りを示す流れ図。
【図８】同実施の形態において携帯電話が電子商品券を使用してＰＯＳ端末で決済するときの携帯電話、ＰＯＳ端末、サーバ間のやり取りを示す流れ図。
【図９】同実施の形態においてサーバから電子商品券を購入するときの、携帯電話の表示部の表示画面例を示す図。
【図１０】同実施の形態において携帯電話が電子商品券を使用してＰＯＳ端末で決済したときの、携帯電話の表示部の表示画面例を示す図。
【図１１】同実施の形態において電子透かし画像を更新するときの携帯電話とサーバのやり取りを示す流れ図。
【図１２】同実施の形態において電子透かし画像を更新するときの、携帯電話の表示部の表示画面例を示す図。
【図１３】図７の携帯電話による画像選択の一例を示す流れ図。
【図１４】図１３の画像選択時における携帯電話の表示部の表示画面例を示す図。
【図１５】図７の携帯電話による画像選択の他の例を示す流れ図。
【図１６】図１５の画像選択時における携帯電話の表示部の表示画面例を示す図。
【図１７】本発明の、第２の実施の形態に係るＰＯＳ端末のアプリケーション実行部の主な機能プログラム構成を示す図。
【図１８】同実施の形態において携帯電話が電子商品券を使用してＰＯＳ端末で決済するときの、携帯電話の表示部の表示画面例を示す図。
【図１９】同実施の形態において携帯電話が電子商品券を使用してＰＯＳ端末で決済するときの携帯電話、ＰＯＳ端末及びサーバ間のやり取りを示す流れ図。
【図２０】本発明の、第３の実施の形態に係る携帯電話のアプリケーション実行部の主な機能プログラム構成を示す図。
【図２１】同実施の形態において携帯電話が電子商品券を使用してＰＯＳ端末で決済するときの携帯電話、ＰＯＳ端末及びサーバ間のやり取りを示す流れ図。
【図２２】本発明の、第４の実施の形態に係るサーバのアプリケーション実行部の主な機能プログラム構成を示す図。
【図２３】同実施の形態における携帯電話のアプリケーション実行部の主な機能プログラム構成を示す図。
【図２４】同実施の形態においてサーバから電子商品券を購入するときの携帯電話とサーバとのやり取りを示す流れ図。
【図２５】本発明の、第５の実施の形態に係るＰＯＳ端末のアプリケーション実行部の主な機能プログラム構成を示す図。
【図２６】同実施の形態において携帯電話が電子商品券を使用してＰＯＳ端末で決済するときの携帯電話、ＰＯＳ端末、サーバ間のやり取りを示す流れ図。
【符号の説明】
【００６８】
１…サーバ、２…ＰＯＳ端末（決済装置）、３…携帯電話（携帯情報端末）、１２１…電子透かし作成機能プログラム、２２１…電子透かし抽出機能プログラム、２２２…電子バリュー更新機能プログラム、２２４…精算機能プログラム、３３…記憶部。
【図１】
2005141314.tif 000003
【図２】
2005141314.tif 000004
【図３】
2005141314.tif 000005
【図４】
2005141314.tif 000006
【図５】
2005141314.tif 000007
【図６】
2005141314.tif 000008
【図７】
2005141314.tif 000009
【図８】
2005141314.tif 000010
【図９】
2005141314.tif 000011
【図１０】
2005141314.tif 000012
【図１１】
2005141314.tif 000013
【図１２】
2005141314.tif 000014
【図１３】
2005141314.tif 000015
【図１４】
2005141314.tif 000016
【図１５】
2005141314.tif 000017
【図１６】
2005141314.tif 000018
【図１７】
2005141314.tif 000019
【図１８】
2005141314.tif 000020
【図１９】
2005141314.tif 000021
【図２０】
2005141314.tif 000022
【図２１】
2005141314.tif 000023
【図２２】
2005141314.tif 000024
【図２３】
2005141314.tif 000025
【図２４】
2005141314.tif 000026
【図２５】
2005141314.tif 000027
【図２６】
2005141314.tif 000028